(57)【要約】【課題】  従来の全自動洗濯機では、洗濯物が浮き上がる部分は洗われずに放っておかれるという問題があった。洗濯機で洗える物が増えているが、浮き上がる部分には、対策がなく洗濯物の浮き上がり防止用具がないのが実体である。本発明が、これを解決する。【解決手段】  発明品の本体下部のスポンジ部分は、水面で水にふれると重くなり洗濯物を押さえつける。脱水時、本体も脱水され、上部は、脱水後の注水で、本体が即時、水面に水平に戻るように作用する風呂場マットの材質で、下部の多孔を閉じて浮きを補助する。すすぎでも水を含んだ下部は、再び洗濯物の浮き上がりを防止する。この用具の使用は、外観は煮物用の落としぶたに似ていることから、新たに「洗濯用落としぶた」と名付けた。使用は手軽で、全自動洗濯機の始めの洗い時に、浮き上がっている洗濯物の上に洗濯用落としぶたを置いた後は、放っておいてもよく洗えるように仕事する。【選択図】図２
2011240096.tif 000002
【特許請求の範囲】
【請求項１】
本体は、全自動洗濯機で使用でき、脱水時に騒音をたてず、物に負担をかけないように、軽く、柔らかな素材が使用され、多孔質のスポンジが水を含んで重くなることを利用して、洗濯物の浮き上がりを押さえている用具で、煮物に使う落としぶたのように上から水面に置いて、水に浸かってない洗濯物を水に浸らせて使用する（新たに洗濯用落としぶたと名付けた）浮き上がり防止用具である。
【発明の詳細な説明】
【技術分野】
【０００１】  本発明は、全自動洗濯機等で洗濯物が液につからずにプカプカ浮いて放っておかれる状態を改める用具で、ここでは新たに「洗濯用落としぶた」と名付けて呼ぶことにする。
【背景技術】
【０００２】  従来の全自動洗濯機では、洗濯物が浮き上がっている部分は、きちんと洗えていない状況にある。記載すべき選考技術には旧式の洗濯機で、二槽式（洗いと脱水が別の場所）に用いる浮き上がり防止用具があった。
【先行技術文献】
【特許文献】
【特許文献】公開実用新案公報  実開平０６−０１３７８５
【発明の概要】
【発明が解決しようとする課題】
【０００３】  上に述べたものは全自動洗濯機に対応できず、二槽式（洗いと脱水とに分かれている洗濯機）の洗濯槽に板つき保持棒を固定して、洗濯物の浮きを防ぐものだが、全自動の脱水に耐えられないという問題がある。【０００４】  本発明は、全自動洗濯機のスタート時に浮き上がり防止用具を落としぶたのようにおくことによって、水を含んで重くなった洗濯用落としぶたが、浮いたまま洗われていない洗濯物を押さえ、脱水後のすすぎでも押さえる仕事をし、洗い効果をよくすることを目的としている。
【課題を解決するための手段】
【０００５】  本発明は、上記目的を達成するために洗い・脱水・すすぎに耐えて、洗濯機や洗濯物に損傷を加えずに、また、騒音をたてない洗濯物浮き上がり防止用具（ここで、新たに洗濯用落としぶたと名づけた用具）にするため、軽く、柔らかな素材を使用する。【０００６】  本体（洗濯用落としぶた）は、底面が直径約３０ｃｍの円で、厚さ約３ｃｍの円柱の形であり、水につかると水を含んで重くなるスポンジ部分と、水を含まないで本体を水面に水平に保つ材質の部分からなる。
（本体の底面の表面積は、洗濯機の水面の面積の４分の３くらい）【０００７】  洗濯物の浮き上がりは、本体の下部のスポンジが水につかると重くなることで押さえられ、上部は、下部の多孔質部分をカバーし即時、水平に浮かぶようにできている。【０００８】上部は厚さ０、５ｃｍ位の風呂場マットの材質で、下部は厚さ２、５ｃｍ位のスポンジからなり、全体が厚さ約３ｃｍの円柱の本体をネットで保護して使用する。
【発明の効果】
【０００９】本発明の洗濯用落としぶた（洗濯物浮き上がり防止用具）は、全自動洗濯機のスタートの「洗い」時の水面にセットすると、その後は放っておいても各段階で洗濯物の浮き上がりを防止する役目をし、最後には本体も脱水されてくりかえし使える。【００１０】  本発明の洗濯用落としぶたは、全自動洗濯機の高速脱水に耐え本体丸ごと静かに脱水されて、すすぎの時には、注水で上部の材質が即時に本体が水面に水平に浮くように作用し、再び水を吸った下部のスポンジ部分が、洗濯物の浮き上がりを防止する。
【図面の簡単な説明】
【００１１】
【図１】全自動洗濯機用落としぶたの外観図（厚さは上部約０、５ｃｍ下部約２、５ｃｍ、底面直径約３０ｃｍ、底面の円の表面積は、洗濯機の水面の面積の４分の３位）
【図２】全自動洗濯機での本発明の実施状態を横から見た図
【図３】本体を保護するネット。
【発明を実施するための形態】
【００１２】  以下、本発明の実体を図１〜図２に基づいて説明する。
【００１３】  図において、１は、洗濯用落としぶたの上部で、多孔質のスポンジ部分をカバーして水を吸わない部分で、脱水後の注水で、即時に浮き上がり、本体の浮きを水平に安定させる部分で、軽く柔らかい風呂場マットの材質である。
【００１４】  図において２は、洗濯用落としぶたの下部でスポンジの材質で、水面で水を含んで重くなり洗濯物の浮き上がりを押さえる。
【００１５】  図において３は、洗濯用落としぶたを保護しているネットである。
【００１６】  全自動洗濯機は洗い・脱水・注水・すすぎが自動で行われるが、本発明の落としぶたを、始めの洗いの時に浮いている洗濯物に設置すると、最終の脱水まで放っておいてもよく、すすぎの時は、脱水された本体が注水で浮き上がり、水面に水平に安定して浮かび、水を含んだ部分が水中に入り再び洗濯物を押さえる。
【符号の説明】
【００１７】  １，本体の上部で、下部にある多孔質部分の孔を閉じて、水を含まずに浮きを水平に安定させる部分。（風呂場マットの材質）
２，本体の下部で多孔質部分（スポンジ）で、水を含んで重くなる部分。
３、本体を保護するネット。
【図１】
2011240096.tif 000003
【図２】
2011240096.tif 000004
【手続補正書】
【提出日】平成22年7月1日(2010.7.1)
【手続補正１】
【補正対象書類名】明細書
【補正対象項目名】００１１
【補正方法】変更
【補正の内容】
【００１１】
【図１】全自動洗濯機用落としぶたの外観図（厚さは上部約０、５ｃｍ下部約２、５ｃｍ、底面直径約３０ｃｍ、底面の円の表面積は、洗濯機の水面の面積の４分の３位）
【図２】全自動洗濯機での本発明の実施状態を横から見た図
【手続補正書】
【提出日】平成22年7月8日(2010.7.8)
【手続補正１】
【補正対象書類名】明細書
【補正対象項目名】０００６
【補正方法】変更
【補正の内容】
【０００６】  本体（洗濯用落としぶた）は、底面が直径約２５ｃｍの円で、厚さ約３．５ｃｍの円柱の形であり、水につかると水を含んで重くなるスポンジ部分と、水を含まないで本体を水面に水平に保つ材質の部分からなる。
【手続補正２】
【補正対象書類名】明細書
【補正対象項目名】０００８
【補正方法】変更
【補正の内容】
【０００８】上部は厚さ約１ｃｍの風呂場マットの材質で、下部は厚さ約２．５ｃｍのスポンジからなり、全体が厚さ約３．５ｃｍの円柱の本体をネットで保護して使用する。
【手続補正３】
【補正対象書類名】明細書
【補正対象項目名】００１１
【補正方法】変更
【補正の内容】
【００１１】
【図１】全自動洗濯機用落としぶたの外観図（厚さは上部約１ｃｍ下部約２，５ｃｍ底面直径約２５ｃｍ）
【図２】全自動洗濯機での本発明の実施状態を横から見た図
【手続補正書】
【提出日】平成22年10月2日(2010.10.2)
【手続補正１】
【補正対象書類名】特許請求の範囲
【補正対象項目名】請求項１
【補正方法】変更
【補正の内容】
【請求項１】
全自動洗濯機や、たらい等で使用する浮き上がり防止用具であって、円盤形状の吸水性を有さない上部安定盤と、
前記上部安定盤の裏面に接着され、前記上部安定盤と同一の円板形状の下部多孔質盤と、
前記上部安定盤と前記下部多孔質盤をおおうネット袋とからなることを特徴とする浮き上がり防止装置。
【手続補正書】
【提出日】平成22年12月2日(2010.12.2)
【手続補正１】
【補正対象書類名】特許請求の範囲
【補正対象項目名】請求項１
【補正方法】変更
【補正の内容】
【請求項１】
全自動洗濯機の中で水面に浮いて水に浸からない洗濯物の上に置いて洗濯物を水に浸からせる洗濯物の浮き上がり防止用具であって、水に浸かると水を含んで重くなって洗濯物の浮き上がりを押さえる円盤形状の多孔質のスポンジからなる下の部分と、水に浸かっても水を吸わないで、水面にある前記浮き上がり防止用具の浮きを水平に安定させる円盤形状のカバーからなる上の部分と、前記下の部分と前記上の部分を重ねて保護するようにしたネットとを備えたことを特徴とする全自動洗濯機用の洗濯物の浮き上がり防止用具。